(57)【要約】【課題】特に寸法が大きくて慣性モーメントが増加したゴルフパターヘッドに最適な構造を提供する。【解決手段】  ゴルフパターヘッド（１０）はゴルフボールを打撃するための前面（１２ａ）を備えたフェース部材（１２）を有する。後部部材（１４）がフェース部材（１２）のヒールエンド（１６）からトウエンド（１８）に至り円弧状径路で延びる。第１ストラット（２２）及び第２ストラット（２４）が後部部材（１４）からフェース部材（１２）に至り延びていて、フェース部材（１２）に近づくにつれて互いに向けて集まる。【選択図】      図１
2005007172.tif 000002
【特許請求の範囲】
【請求項１】
ヒールエンドと、トウエンドと、ゴルフボールを打撃するための前面とを有するフェース部材と、
前記フェース部材のヒールエンドからトウエンドに至り円弧状径路で延びる後部部材と、
前記後部部材から前記フェース部材に至り延びていて、前記フェース部材に近づくにつれて互いに向けて集まる第１及び第２ストラットと、
を有するゴルフパターヘッド。
【請求項２】
前記後部部材から前記フェース部材に至り延びていて、前記第１ストラットと第２ストラットとの間に配置された第３ストラットをさらに有する請求項１に記載のゴルフパターヘッド。
【請求項３】
前記フェース部材は上面を有し、該上面はヒールエンドとトウエンドとの間において設けられたほぼＶ字形のマークを備え、該Ｖ字形のマークの一方の脚部は第１ストラットと位置揃いし、他方の脚部は第２ストラットと位置揃いしているクレーム１のゴルフパターヘッド。
【請求項４】
前記Ｖ字形のマークの一方の脚部は第１ストラットのエッジと位置揃いしており、他方の脚部は第２ストラットのエッジと位置揃いしている請求項３に記載のゴルフパターヘッド。
【請求項５】
前記円弧状径路はほぼ１８０度にわたって延びている請求項１に記載のゴルフパターヘッド。
【請求項６】
前記フェース部材、後部部材、及び第１及び第２ストラットはアルミニウムで形成されている請求項１記載のゴルフパターヘッド。
【請求項７】
前記フェース部材、後部部材、及び第１及び第２ストラットはチタニウムで形成されている請求項１記載のゴルフパターヘッド。
【請求項８】
当該ゴルフパターヘッドにおける前記フェース部材のヒールエンドとトウエンドとの間の幅は101.6 mm (4.0インチ)と304.8 mm (12.0インチ)との間である請求項１記載のゴルフパターヘッド。
【請求項９】
当該ゴルフパターヘッドにおける前記フェース部材のヒールエンドとトウエンドとの間の幅は228.6 mm（9.0インチ）である請求項８記載のゴルフパターヘッド。
【請求項１０】
当該ゴルフパターヘッドにおけるフェース部材の前面と後部部材の外面との間の深さは50.8 mm (2.0インチ)と152.4 mm (6.0インチ)との間である請求項８記載のゴルフパターヘッド。
【請求項１１】
当該ゴルフパターヘッドにおけるフェース部材の前面と後部部材の外面との間の深さは114.3 mm （4.5インチ）である請求項１０記載のゴルフパターヘッド。
【請求項１２】
前記第１，第２及び第３ストラットはフェース部材と後部部材との間に４つの三角形状開放空間を形成するように配置されている請求項２記載のゴルフパターヘッド。
【請求項１３】
当該ゴルフパターヘッドは望ましい重量である約３５０〜５００グラムの重量を有する請求項１記載のゴルフパターヘッド。
【発明の詳細な説明】
【技術分野】
【０００１】
本発明は、概してゴルフ用具に関し、特に寸法が大きくて慣性モーメントが増加したゴルフパターヘッドに関する。
【背景技術】
【０００２】
ゴルフ器具の最近の発展によりゴルフパターヘッドが高い慣性モーメントを有する結果となった。例えば、D.W. Andersonに付与された米国特許第5,482,281号（特許文献１）は、DANSERという名称で販売されているパターヘッドを開示している。このAndersonのパターヘッドは下部プレート状部材に取付けられたヒールおよびトウウェイトを有する。ヒール及びトウウェイトと下部プレート状部材とは青銅や鋼のような重い材料で形成されているのが好ましい。好ましくはプラスチックやアルミニウムのような軽量材料で形成された上部シェル部材が下部プレート部材に固定されてヒール及びトウウェイトを取り囲んでいる。M.J. Nelsonに付与された米国特許第5,842,935号（特許文献２）はNELLIという名称で販売されているパターヘッドを開示している。このNelsonのパターヘッドは、ヒールとトウ部分の厚みが大きくされていて、鋼のような高密度材料で形成された馬蹄形の本体を有している。馬蹄形の本体はポリウレタンのような低密度材料で形成されたインサートを受容する空所を有している。インサートはパターヘッドの全重量の約１５％を占め、一方でパターヘッドの全体積の約50%を越えるのが好ましい。
【０００３】
【特許文献１】米国特許第５，４８２，２８１号
【特許文献２】米国特許第５，８４２，９３５号
【発明の開示】
【発明が解決しようとする課題】
【０００４】
本発明は特に寸法が大きくて慣性モーメントが増加したゴルフパターヘッドに最適な構造を提供するものである。
【課題を解決するための手段】
【０００５】
本発明はヒールエンドと、トウエンドと、ゴルフボールを打撃するための前面とを有するフェース部材を備えたゴルフパターヘッドである。ゴルフパターヘッドはフェース部材のヒールエンドからトウエンドに至り円弧状径路で延びる後部部材と、後部部材からフェース部材に至り延びていて、フェース部材に近づくにつれて互いに向けて集まる第１及び第２ストラットとをさらに有する。ゴルフパターヘッドには後部部材からフェース部材に至り延びていて、第１ストラットと第２ストラットとの間に配置された第３ストラットをさらに有し得る。第１、第２及び第３ストラットはフェース部材と後部部材との間において４つの開放空間を形成するように配置できる。フェース部材は上面を有し、該上面はヒールエンドとトウエンドとの間において設けられたほぼＶ字形のマークを備え得る。該Ｖ字形のマークの一方の脚部は第１ストラットと位置揃いし、他方の脚部は第２ストラットと位置揃いしている。前者の脚部は第１ストラットのエッジと位置揃いし、後者の脚部は第２ストラットのエッジと位置揃いするのが好ましい。
【発明を実施するための最良の形態】
【０００６】
図１を参照すると、ゴルフパターヘッド１０はフェース部材１２と後部部材１４とを有する。後部部材１４はフェース部材１２のヒールエンド１６からフェース部材１２のトウエンド１８にかけてのほぼ１８０°の円弧状径路で延びている。フェース部材１２はゴルフボールを打撃するための前面１２ａと、シャフト２０を受け入れる穴１３を形成した上面１２ｂと、上面１２ｂの反対側に位置する下面１２ｃと、前面１２ａの反対側に位置する背面１２ｄとを有している。後部部材１４は上面１４ａと、内面１４ｂと、外面１４ｃと、下面１４ｄとを有する。後部部材１４の上面１４ａ及び下面１４ｄは互いに反対側に位置しており、内面１４ｂと外面１４ｃとは互いに反対側に位置している。
【０００７】
ゴルフパターヘッド１０は、第１ストラット２２と、第２ストラット２４と、第３ストラット２６とをさらに有する。第１及び第２ストラット２２，２４は後部部材１４からフェース部材１２に至り延びていて、フェース部材１２に近づくにつれて互いに向けて集まっている。フェース１２の上面１２ｂにはヒールエンド１６とトウエンド１８との間においてほぼＶ字形のマーク２８が刻まれている。このＶ字形のマーク２８は第１ストラット２２のエッジ２２ａと位置揃いした脚部３０と、第２ストラット２４のエッジ２４ａと位置揃いした脚部３２とを有している。第３ストラット２６も後部部材１４からフェース部材１２に向けて延びていて、第１ストラット２２と第２ストラット２４との間に位置している。
【０００８】
ゴルフパターヘッド１０はアルミニウムやチタニウムのような軽量材料で形成されていて寸法が大きくなっているのが好ましい。例えば、ゴルフパターヘッド１０のフェース部材１２のヒールエンド１２ａとトウエンド１２ｂとの間の幅Ｗは101.6 mm (4.0インチ)と304.8 mm (12.0インチ)との間、好ましくは228.6 mm（9.0インチ）である。また、ゴルフパターヘッド１０のフェース部材１２の前面１２ａと後部部材１４の外面１４ａとの間の深さＤは50.8 mm (2.0インチ)と152.4 mm (6.0インチ)との間、好ましくは114.3 mm （4.5インチ）である。幅Ｗ及び深さＤをこのように寸法設定することでゴルフパターヘッド１０の慣性モーメントが増加する。
【０００９】
第１，第２及び第３ストラット２２，２４，２６はフェース部材１２の背面１２ｄと後部部材１４の内面１４ｂとに接続されており、フェース部材１２と後部部材１４との間に４つの三角形状の開放空間３４，３６，３８及び４０を形成している。開放空間３４と４０との寸法は同一であり、また、開放空間３６と３８の寸法は同一である。これらの開放空間３４，３６，３８，４０によって、ゴルフパターヘッド１０が、望ましい重量である約３５０〜５００グラムを越えることなく、上記のように大きな寸法を有することが可能となる。
【００１０】
なお、本明細書において括弧書きの数値とともに示した数値は括弧書きの数値の換算値であり、換算に誤りがある場合には括弧書きの数値が正しいものとみなされるべきである。
【図面の簡単な説明】
【００１１】
【図１】本発明の一実施形態によるゴルフパターヘッドの斜視図である。
【図２】図１のゴルフパターヘッドの平面図である。
【図３】図１のゴルフパターヘッドの底面図である。
【符号の説明】
【００１２】
１０  ゴルフパターヘッド
１２  フェース部材
１２ａ  前面
１２ｂ  上面
１２ｃ  下面
１２ｄ  背面
１３  穴
１４  後部部材
１４ａ  上面
１４ｂ  内面
１４ｃ  外面
１４ｄ  下面
１６  ヒールエンド
１８  トウエンド
２０  シャフト
２２  第１ストラット
２２ａ  エッジ
２４  第２ストラット
２４ａ  エッジ
２６  第３ストラット
２８  マーク
３０，３２  脚部
３４，３６，３８，４０  開放空間
【図１】
2005007172.tif 000003
【図２】
2005007172.tif 000004
【図３】
2005007172.tif 000005